(57)【要約】      （修正有）【課題】複数の開口部を有する電極を用いた液晶表示装置において、生産効率を低下させることなく電極の断線を防止する。【解決手段】第１基板及び第２基板と、複数の第１開口部１８を有する第１電極１３と、複数の第２開口部１９及び複数の第３開口部３１を有する第２電極１４と、第１基板と第２基板の間に配置された液晶層を含み、第１電極と第２電極とが重なる領域において表示部が画定されており、第１電極は表示部の輪郭の少なくとも一部に沿って形成された１つ以上のエッジ部分を有し、第２電極は第１電極のエッジ部分と交差して表示部よりも外側へ張り出した部分を有しており、エッジ近傍領域３０には各第１開口部は配置されず各第２開口部は配置され、各第３開口部は、エッジ近傍領域において、複数の第１開口部のエッジ部分に近い短辺と当該エッジ部分との間に配置される。【選択図】図２
2014074755.tif 000002
【特許請求の範囲】
【請求項１】
対向配置される第１基板及び第２基板と、
複数の第１開口部を有しており、前記第１基板に設けられた第１電極と、
複数の第２開口部及び複数の第３開口部を有しており、前記第２基板に設けられた第２電極と、
前記第１基板と前記第２基板の間に配置された液晶層、
を含み、
前記第１電極と前記第２電極とが重なる領域において表示部が画定されており、
前記複数の第１開口部と前記複数の第２開口部は、各々、第１方向に延在して配置されており、かつ前記表示部内において、前記第１方向と直交する第２方向に対して交互に配置されており、
前記第１電極は、前記表示部の輪郭の少なくとも一部に沿って形成された１つ以上のエッジ部分を有し、前記第２電極は、前記第１電極の前記エッジ部分と交差して前記表示部よりも外側へ張り出した部分を有しており、
前記複数の第１開口部は、前記エッジ部分から前記表示部の内側へ所定範囲に設定されるエッジ近傍領域には配置されず、前記複数の第２開口部は、前記エッジ近傍領域においても配置され、前記複数の第３開口部は、前記エッジ近傍領域において、前記複数の第１開口部の前記エッジ部分に近い短辺と当該エッジ部分との間に配置される、
液晶表示装置。
【請求項２】
前記エッジ部分は、前記複数の第１開口部の各々の長手方向と交差する位置に存在する、請求項１に記載の液晶表示装置。
【請求項３】
前記エッジ部分は、複数存在しており、そのうちの少なくとも１つに対して前記エッジ近傍領域が設定され、当該エッジ近傍領域には前記複数の第１開口部が配置されない、請求項１又は２に記載の液晶表示装置。
【請求項４】
前記複数の第１開口部と前記複数の第３開口部は、前記第１方向において隣り合う互いの一端を一致させて配置され、又は互いの一部が平面視において重なって配置される、請求項１〜３の何れか１項に記載の液晶表示装置。
【請求項５】
前記複数の第１開口部及び前記複数の第２開口部は、各々、前記第１方向に延びた長方形状の平面視形状を有する、請求項１〜４の何れか１項に記載の液晶表示装置。
【発明の詳細な説明】
【技術分野】
【０００１】
本発明は、複数の開口部が設けられた電極を用いる液晶表示装置に関する。
【背景技術】
【０００２】
液晶表示装置の電圧印加時における視角特性を向上させるためには、液晶層の液晶分子の配向方向を１つの画素（表示部）内で複数の方向に分割するマルチドメイン配向を用いることが有効である。マルチドメイン配向を実現する方法として、例えば特許４１０７９７８号公報（特許文献１）には、電極形状の工夫により液晶層内で１８０°異なる２つの方向にそれぞれ斜め電界を発生させることにより、それぞれの電界方向に沿って液晶分子を配向させる斜め電界配向制御法が提案されている。具体的には、特許文献１の液晶表示装置（液晶表示素子）は、上下基板の上下電極にそれぞれ複数の開口部を設けておき、それらが平面視において交互に周期的に配置されるように電極が形成されている。これにより、各開口部のエッジ付近から斜め電界を発生させてこの斜め電界に沿って液晶層内の液晶分子の配向を制御することが可能となり、各開口部を境界にして配向方向が互いに１８０°異なるマルチドメイン配向が実現される。また、特開２００９−１２２２７１号公報（特許文献２）には、各開口部の形状をさらに工夫することにより配向均一性を向上し、外観観察における表示品位をより向上させた液晶表示装置が開示されている。
【０００３】
ところで、一般的に液晶表示装置の製造時には、１組のマザーガラス基板で同時に複数の液晶表示装置を製造することが多い（いわゆる多面取り）。このため、マザーガラス基板の基板面内の位置により、電極をパターニングする際のエッチング精度などにバラツキを生じやすい。また、これに重ねて製造ロットの違いによるバラツキも発生する。このようなバラツキにより、例えばエッチング過多によって長手方向において隣り合う開口部同士が結合してしまい、電極の一部に断線を生じるという不具合が発生する。このような不具合は、エッチング薬液の選択や温度管理等によってエッチングレートを低速化することによりある程度解消し得る。しかし、エッチングレートを低速化することにより生産効率が低下するため、解決方法としてはあまり好ましくない。
【先行技術文献】
【特許文献】
【０００４】
【特許文献１】特許４１０７９７８号公報
【特許文献２】特開２００９−１２２２７１号公報
【発明の概要】
【発明が解決しようとする課題】
【０００５】
本発明に係る具体的態様は、複数の開口部を有する電極を用いた液晶表示装置において、生産効率を低下させることなく電極の断線を防止することが可能な技術を提供することを目的の１つとする。
【課題を解決するための手段】
【０００６】
本発明に係る一態様の液晶表示装置は、（ａ）対向配置される第１基板及び第２基板と、（ｂ）複数の第１開口部を有しており、第１基板に設けられた第１電極と、（ｃ）複数の第２開口部及び複数の第３開口部を有しており、第２基板に設けられた第２電極と、（ｄ）第１基板と第２基板の間に配置された液晶層を含み、（ｅ）第１電極と第２電極とが重なる領域において表示部が画定されており、（ｆ）複数の第１開口部と複数の第２開口部は、各々、第１方向に延在して配置されており、かつ表示部内において、第１方向と直交する第２方向に対して交互に配置されており、（ｇ）第１電極は、表示部の輪郭の少なくとも一部に沿って形成された１つ以上のエッジ部分を有し、第２電極は、第１電極のエッジ部分と交差して表示部よりも外側へ張り出した部分を有しており、（ｈ）複数の第１開口部は、エッジ部分から表示部の内側へ所定範囲に設定されるエッジ近傍領域には配置されず、複数の第２開口部は、エッジ近傍領域においても配置され、複数の第３開口部は、エッジ近傍領域において、複数の第１開口部のエッジ部分に近い短辺と当該エッジ部分との間に配置される、液晶表示装置である。
【０００７】
上記構成によれば、複数の開口部を有する電極を用いた液晶表示装置において、生産効率を低下させることなく電極の断線を防止することが可能になる。
【０００８】
上記の液晶表示装置において、エッジ部分は、例えば、複数の第１開口部の各々の長手方向と交差する位置に存在する。
【０００９】
エッジ部分が各第１開口部の長手方向と交差する位置に存在する場合には特に電極の断線が生じやすいが、それを防止することができる。
【００１０】
上記の液晶表示装置において、エッジ部分は、複数存在しており、そのうちの少なくとも１つに対してエッジ近傍領域が設定され、当該エッジ近傍領域には複数の第１開口部が配置されないことも好ましい。
【００１１】
それにより、少なくとも１つのエッジ部分において確実に導通がとられ、電極の断線を防止することができる。
【００１２】
上記の液晶表示装置において、複数の第１開口部と複数の第３開口部は、第１方向において隣り合う互いの一端を一致させて配置され、又は互いの一部が平面視において重なって配置されることも好ましい。
【００１３】
上記の液晶表示装置において、複数の第１開口部及び複数の第２開口部は、各々、第１方向に延びた長方形状の平面視形状を有することも好ましい。
【図面の簡単な説明】
【００１４】
【図１】図１は、第１実施形態の液晶表示装置の基本構造を示す断面図である。
【図２】図２（Ａ）は、第１電極および第２電極とそれらに設けられる第１開口部および第２開口部の一例を示す平面図である。図２（Ｂ）は、第１電極および第２電極とそれらに設けられる第１開口部および第２開口部の他の一例を示す平面図である。図２（Ｃ）は、第１電極および第２電極とそれらに設けられる第１開口部および第２開口部の比較例を示す平面図である。
【図３】図３（Ａ）は、上記した図２（Ａ）または図２（Ｂ）に示した構造に相当する第２電極の構造を示す図であり、図３（Ｂ）は、上記した図２（Ａ）または図２（Ｂ）に示した構造に相当する第１電極の構造を示す図である。図３（Ｃ）は、配向組織の計算結果を示す図である。
【図４】図４（Ａ）は、上記した図２（Ｃ）に示した比較例の構造に相当する第２電極の構造を示す図であり、図４（Ｂ）は、上記した図２（Ｃ）に示した比較例の構造に相当する第１電極の構造を示す図である。図４（Ｃ）は、配向組織の計算結果を示す図である。
【図５】図５（Ａ）は、第１開口部と第３開口部の端部同士が離れている場合における第２電極の構造を示す図である。図５（Ｂ）は配向組織の計算結果を示す図である。
【図６】図６（Ａ）は、第１開口部と第３開口部の端部同士が重なる場合における第２電極の構造を示す図である。図６（Ｂ）は配向組織の計算結果を示す図である。
【図７】図７（Ａ）は第１電極と第２電極を重ねて示した平面図であり、図７（Ｂ）は第１電極を示した平面図であり、図７（Ｃ）は第２電極を示した平面図である。ここでは、英文字「Ｓ」を表示するための電極構造の一例を示している。図７（Ｄ）は図７（Ａ）に示したＢＸ部の拡大図であり、図７（Ｅ）は図７（Ｂ）に示したＢＳ部の拡大図であり、図７（Ｆ）は図７（Ｃ）に示したＢＣ部の拡大図である。
【図８】図８（Ａ）は第１電極と第２電極を重ねて示した平面図であり、図８（Ｂ）は第１電極を示した平面図であり、図８（Ｃ）は第２電極を示した平面図である。図８（Ｄ）は図８（Ａ）に示したＣＸ部の拡大図であり、図８（Ｅ）は図８（Ｂ）に示したＣＳ部の拡大図であり、図８（Ｆ）は図８（Ｃ）に示したＣＣ部の拡大図である。
【図９】図９（Ａ）は第１電極と第２電極を重ねて示した平面図であり、図９（Ｂ）は第１電極を示した平面図であり、図９（Ｃ）は第２電極を示した平面図である。また、図９（Ｄ）は図９（Ａ）に示したＡＸ部の拡大図であり、図９（Ｅ）は図９（Ｂ）に示したＡＳ部の拡大図であり、図９（Ｆ）は図９（Ｃ）に示したＡＣ部の拡大図である。
【図１０】図１０（Ａ）は一例の第１電極と第２電極を重ねて示した平面図であり、図１０（Ｂ）は他の一例の第１電極と第２電極を重ねて示した平面図である。図１０（Ｃ）は図１０（Ａ）に示したＧＧ部の拡大図であり、図１０（Ｄ）は図１０（Ｂ）に示したＨＨ部の拡大図である。
【図１１】図１１（Ａ）は変形例の液晶表示装置における第１電極の構造を示し、図１１（Ｂ）は変形例の液晶表示装置における第２電極の構造を示す平面図である。
【発明を実施するための形態】
【００１５】
以下に、本発明の実施の形態について図面を参照しながら説明する。
【００１６】
（第１実施形態）
図１は、第１実施形態の液晶表示装置の基本構造を示す断面図である。この液晶表示装置は、対向配置された第１基板１１および第２基板１２と、第１基板１１に設けられた第１電極１３と、第２基板１２に設けられた第２電極１４と、第１基板１１と第２基板１２の間に配置された液晶層１７、を基本構成として備える。
【００１７】
第１基板１１および第２基板１２は、それぞれ例えばガラス基板、プラスチック基板等の透明基板である。図示のように、第１基板１１と第２基板１２は、所定の間隙（例えば４μｍ程度）を設けて貼り合わされている。
【００１８】
第１電極１３は、第１基板１１の一面側に設けられている。同様に、第２電極１４は、第２基板１２の一面側に設けられている。第１電極１３および第２電極１４は、それぞれ例えばインジウム錫酸化物（ＩＴＯ）などの透明導電膜を適宜パターニングすることによって構成されている。第１電極１３には複数の第１開口部１８が設けられており、第２電極１４には複数の第２開口部１９および複数の第３開口部（ここでは図示せず）が設けられている。各第１開口部１８、各第２開口部１９および各第３開口部の詳細構造については後述する。
【００１９】
第１配向膜１５は、第１基板１１の一面側に第１電極１３を覆うようにして設けられている。第２配向膜１６は、第２基板１２の一面側に第２電極１４を覆うようにして設けられている。これらの第１配向膜１５、第２配向膜１６としては、液晶層１７の配向状態を垂直配向に規制する垂直配向膜が用いられている。各配向膜にはラビング処理等の一軸配向処理は施されていない。
【００２０】
液晶層１７は、第１基板１１と第２基板１２の間に設けられている。本実施形態においては、誘電率異方性Δεが負の液晶材料を用いて液晶層１７が構成される。液晶材料の屈折率異方性Δｎは、例えば０．０９程度である。液晶層１７に図示された太線は、液晶層１７における液晶分子の配向方向を模式的に示したものである。本実施形態の液晶層１７は、電圧無印加時における液晶分子の配向方向が第１基板１１および第２基板１２の各基板面に対して垂直となる垂直配向に設定されている。
【００２１】
第１偏光板２１は、第１基板１１の外側に配置されている。同様に、第２偏光板２２は、第２基板１２の外側に配置されている。第１偏光板２１と第２偏光板２２は、各々の吸収軸が互いに略直交するように配置されている。また、各偏光板と各基板との間には適宜Ｃプレート等の光学補償板が配置されてもよい。例えば本実施形態では、第１基板１１と第１偏光板２１の間、第２基板１２と第２偏光板２２の間のそれぞれに光学補償板２３、２４が配置されている。
【００２２】
次に、第１電極および第２電極とそれらに設けられる各開口部の構造について詳細に説明する。始めに、一例としてそれぞれ一方向に延在したストライプ状に形成された複数の第１電極と複数の第２電極とが各々の延在方向を略直交させて配置されている場合について説明する。このような電極構造は、例えば単純マトリクス駆動によるドットマトリクス表示型の液晶表示装置において用いられる。
【００２３】
図２（Ａ）は、第１電極および第２電極とそれらに設けられる第１開口部および第２開口部の一例を示す平面図である。ここで示す第１電極１３と第２電極１４は、第１電極１３が図中の上下方向に延在するストライプ状に形成され、第２電極１４が図中の左右方向に延在するストライプ状に形成され、両者が部分的に重なっている。図２（Ａ）は、第２電極１４の側から見た平面図である。図示のように、第１電極１３と第２電極１４とが交差して画定される矩形領域２０が画素部（表示部）に相当する。
【００２４】
各第１開口部１８は、図中の左右方向に延びた長方形状に形成されており、図中の上下方向および左右方向に沿ってマトリクス状に配列されている。詳細には、各第１開口部１８は、左右方向に隣り合うもの同士が相互に所定距離だけ離間しており、それぞれの長手方向に沿って同一線上に並んで配置されている。また、各第１開口部１８は、上下方向に隣り合うもの同士が相互に所定距離だけ離間しており、それぞれの短手方向に沿って同一線上に並んで配置されている。
【００２５】
同様に、各第２開口部１９は、図中の左右方向に延びた長方形状に形成されており、図中の上下方向および左右方向に沿ってマトリクス状に配列されている。詳細には、各第２開口部１９は、左右方向に隣り合うもの同士が相互に所定距離だけ離間しており、それぞれの長手方向に沿って同一線上に並んで配置されている。また、各第２開口部１９は、上下方向に隣り合うもの同士が相互に所定距離だけ離間しており、それぞれの短手方向に沿って同一線上に並んで配置されている。また、各第１開口部１８と各第２開口部１９は、上下方向に沿って互いに重なることなく交互に配置されており、かつ各々の端部を上下方向においてほぼ揃えて配置されている。
【００２６】
ここで、第１電極１３の左側エッジにより画定される矩形領域２０の左側エッジからこの矩形領域２０の内側へ所定距離までの領域として画定されるエッジ近傍領域３０には、第１開口部１８が配置されていない。これにより、第１電極１３の左側エッジから一定距離には開口部が存在しないことになるので、第１電極１３の断線を防止しやすくなる。一方で、第２開口部１９はエッジ近傍領域３０においても設けられている。これは、第２電極１４の延在方向と各第２開口部１９の長手方向が略同じであり、矩形領域２０の左側エッジよりも外側へ第２電極１４が張り出した電極構造となっているため、矩形領域２０の左側エッジまで各第２開口部１９を設けても第２電極１４に断線が生じることがないからである。
【００２７】
さらに、第２電極１４には、エッジ近傍領域３０において第１開口部１８が設けられていない領域を補完するようにして複数の第３開口部３１が設けられている。各第３開口部３１は、左右方向に延びた長方形状に形成されている。詳細には、各第３開口部３１は、上下方向に隣り合う第２開口部１９の列の相互間に配置された第１開口部１８の列に沿って配置されており、各第１開口部１８のエッジ部分に近い短辺とこのエッジ部分との間に配置される。図示の例では、各第３開口部３１は、平面視において左右方向で隣り合う第１開口部１８と相互の一端を重ね合わせて配置されている。なお、この場合に第３開口部３１と第１開口部１８の相互の一端側が部分的に重なっていてもよい。
【００２８】
図２（Ｂ）は、第１電極および第２電極とそれらに設けられる第１開口部および第２開口部の他の一例を示す平面図である。図示のように、矩形領域２０の右側エッジにもエッジ近傍領域３０を設けてもよい。この場合には、この矩形領域２０の右側のエッジ近傍領域３０にも第１開口部１８は設けられないので第１電極１３の断線を防止する効果がより高まる。また、この矩形領域２０の右側のエッジ近傍領域３０にも複数の第３開口部３１が設けられる。
【００２９】
図２（Ｃ）は、第１電極および第２電極とそれらに設けられる第１開口部および第２開口部の比較例を示す平面図である。この比較例では、矩形領域２０の左側および右側のそれぞれのエッジまで複数の第１開口部１８が設けられているため、第１電極１３の断線を生じやすくなる。例えば、長手方向において隣り合う第１開口部１８同士を分離する分断部がエッチング不良により完全に消失した場合にはその部分を境界にして第１電極１３の断線を生じる。
【００３０】
なお、ここでは例示していないが、矩形領域２０の上下エッジにもさらにエッジ近傍領域を設けることができる。この場合には、矩形領域２０から外側へ張り出すのは上下エッジに略直交方向へその延在方向を有する第１電極１３であるので、矩形領域２０の上下エッジから内側へ所定距離までの領域をエッジ近傍領域として設定する。そして、それらのエッジ近傍領域においては、第２電極１４に第２開口部１９を配置せず、第１電極１３に第３開口部を配置すればよい。
【００３１】
次に、上記した電極構造を有する液晶表示装置における配向組織の違いを観察するためにシミュレーション解析を行った結果について説明する。本解析はシンテック製液晶表示機３次元解析シミュレーター  LCD  MASTER  3D  バージョン７により行った。なお、シミュレーション解析の計算条件は次のとおりである（以下の実施形態においても同様）。観察領域は１６０×１６０μｍの領域を４０×４０のメッシュ状に分割設定した。また、上側基板と下側基板の各表面はプレティルト角９０°の垂直配向とし、液晶材料には誘電率異方性Δεが負で屈折率異方性Δｎが略０．０９であるネマティック液晶材料を想定した。そして、上側基板の電極に４Ｖ、下側基板の電極に０Ｖを印加し、液晶層の配向状態が定常状態に安定した後の配向組織を算出した。
【００３２】
図３（Ａ）は、上記した図２（Ａ）または図２（Ｂ）に示した構造に相当する第２電極の構造を示す図であり、図３（Ｂ）は、上記した図２（Ａ）または図２（Ｂ）に示した構造に相当する第１電極の構造を示す図である。第１電極の第１開口部および第２電極の第２開口部は、それぞれの長手方向において隣り合うもの同士を分断する部分が存在しない構造とした。また、図３（Ｂ）に示すように第１電極には矩形領域の右側に略５０μｍ幅のエッジ近傍領域を設定し、このエッジ近傍領域には第１開口部を配置しないようにした。第２電極にはこのエッジ近傍領域において２つの第３開口部が配置されている。なお、本例では図３（Ａ）に示すように各第３開口部が第１電極により形成される右側エッジよりも外側にはみ出しているが、各第３開口部の一端を右側エッジにそろえても同じ効果を示す。なお、各第１開口部の長手方向長さは略８０μｍ、各第２開口部の長手方向長さは略１３０μｍ、各第３開口部の長手方向長さは略６０μｍ、それぞれの幅は略１０μｍ、上下方向に隣接する第１開口部と第２開口部のエッジ間距離は略４０μｍ、上下方向に隣接する第２開口部と第３開口部のエッジ間距離は略４０μｍに設定されている。
【００３３】
図３（Ｃ）は、配向組織の計算結果を示す図である。なお、表側偏光板（A）は各開口部の長手方向に対して時計回りに４５°の方向に設定し、裏側偏光板（P）は各開口部の長手方向に対して反時計回りに４５°の方向に設定した。図示のように、第２電極上の各第３開口部の短辺の端面間と第１電極の上側の第１開口部の短辺の間をつなぐように暗領域が形成されているとともに、第２電極の各第３開口部の短辺の間をつなぐように暗領域が形成されている。後述する比較例の配向組織に比べて暗領域が多く発生しているがそれらの太さは細くなっている。また、暗領域の発生パターンが規則的であり、外観観察においても表示均一性に寄与すると考えられる。
【００３４】
図４（Ａ）は、上記した図２（Ｃ）に示した比較例の構造に相当する第２電極の構造を示す図であり、図４（Ｂ）は、上記した図２（Ｃ）に示した比較例の構造に相当する第１電極の構造を示す図である。本例では、第１電極のほうが画素部（表示部）のエッジと一致しており第２電極は画素部のエッジの直交方向に対して外側へ張り出した構造とした。各第１開口部と各第２開口部の長手方向長さはそれぞれ略７０μｍ、それぞれの幅は略１０μｍ、上下方向に隣接する第１開口部と第２開口部のエッジ間距離は略４０μｍに設定されている。
【００３５】
図４（Ｃ）は、配向組織の計算結果を示す図である。なお、各偏光板の配置は上記と同様である。図示のように、画素部の右側エッジ付近で第１開口部と第２開口部の端部をつなぐようにして、Ｖ字を横にしたようなパターンの複数の暗領域が周期的に発生することがわかった。これは、画素部の右側エッジ付近の斜め電界により各開口部の長手方向とは略直交する方向へ液晶分子が配向するため、これらの暗領域周辺では液晶分子が面内で連続的に回転して配向していることを示している。図示の配向組織ではＶ字の頂点は第１開口部と第２開口部の各長辺エッジの相互間の略中央で均等に観察されるが構造的にこれを固定する要素が存在しないため、実際の液晶表示装置ではギャップ材等の存在による配向の乱れが懸念される。
【００３６】
なお、上記した例では画素部に設定するエッジ近傍領域の幅を略５０μｍとしていたが、この幅は５０μｍ以下とすることが好ましく、３０μｍ以下とすることがさらに好ましい。
【００３７】
また、上記した実施形態では、第１開口部と第３開口部の各短辺が同じ位置に配置された場合を示していたが、端部同士が離れていてもよいし、各短辺から一定範囲で両者が重なっていてもよい。
【００３８】
図５（Ａ）は、第１開口部と第３開口部の端部同士が離れている場合における第２電極の構造を示す図である。なお、第１電極の構造は上記した図３（Ｂ）に示すものであるとする。詳細には、図５（Ａ）に示す第２電極では、各第３開口部の左側の短辺、すなわち画素部の右側エッジから遠い側の短辺の位置が図３（Ａ）に示した例に比べて画素部の右側エッジ側へ略２０μｍずれた位置にあり、第１開口部の短辺とは同じ位置にない。すなわち、平面視において第１開口部と第３開口部とは端部同士が離れている。図５（Ｂ）は配向組織の計算結果を示す図である。図示の暗領域のパターンは上記した図３（Ｃ）に示したものとほぼ同等である。ただし、第１電極に配置された第１開口部の短辺エッジとその対向面にある第２電極の第３開口部の短辺の間をつなぐ暗領域の線が若干太くなる傾向が見られる。
【００３９】
図６（Ａ）は、第１開口部と第３開口部の端部同士が重なる場合における第２電極の構造を示す図である。なお、第１電極の構造は上記した図３（Ｂ）に示すものであるとする。詳細には、図６（Ａ）に示す第２電極では、各第３開口部の左側の短辺、すなわち画素部の右側エッジから遠い側の短辺の位置が図３（Ａ）に示した例に比べて画素部の左側エッジ側へ略２０μｍずれた位置にあり、第１開口部の短辺とは同じ位置にない。すなわち、平面視において第１開口部と第３開口部とは端部同士が略２０μｍの長さ分だけ重なっている。図６（Ｂ）は配向組織の計算結果を示す図である。図示の暗領域のパターンは上記した図３（Ｃ）に示したものとほぼ同等である。ただし、第１電極に配置された第１開口部の短辺エッジとその対向面にある第２電極の第３開口部の短辺の間をつなぐ暗領域の線が若干太くなる傾向が見られる。
【００４０】
（第２実施形態）
次に、第１電極および第２電極とそれらに設けられる第１開口部および第２開口部の構造の一例として、いわゆるセグメント表示型の液晶表示装置に適した構造例を説明する。ここで、セグメント表示型の液晶表示装置とは、電極同士の重なり合う領域が表示したい文字や図案を形作るように構成され、基本的に予め定めた文字等のみを表示可能であり、概ね、有効表示領域内における面積比で５０％以下程度の領域が文字等の表示に寄与するものをいう。なお、液晶表示装置は、複数の画素がマトリクス状に配列されたドットマトリクス表示型であってもよいし、セグメント表示型とドットマトリクス型が混合したものであってもよい。液晶表示装置の全体構成については第１実施形態と同様であるため、ここでは説明を省略する。
【００４１】
図７（Ａ）は第１電極と第２電極を重ねて示した平面図であり、図７（Ｂ）は第１電極を示した平面図であり、図７（Ｃ）は第２電極を示した平面図である。ここでは、英文字「Ｓ」を表示するための電極構造の一例を示している。各図に示すように、第１電極１３および第２電極１４にはそれぞれ開口部が規則的かつ周期的に配置されており、かつ第１電極１３と第２電極１４の間で交互に配置される。各開口部の長手方向は図中の左右方向に一致している。図７（Ｄ）は図７（Ａ）に示したＢＸ部の拡大図であり、図７（Ｅ）は図７（Ｂ）に示したＢＳ部の拡大図であり、図７（Ｆ）は図７（Ｃ）に示したＢＣ部の拡大図である。図７（Ｄ）に示すように、第１電極１３と第２電極１４が重なる領域が表示部を構成しており、図示の部分（英文字「Ｓ」の右上部分）においては、表示部のエッジ上側付近以外では第１電極１３よりも第２電極１４のほうが表示部のエッジ外側へ張り出している。したがって、図７（Ｄ）および図７（Ｅ）に示すように、少なくとも表示部のエッジ付近にエッジ近傍領域を設定し、エッジから内側へ一定距離（例えば５０μｍ幅）には第１電極１３へ第１開口部１８を配置せず、代わりに第２電極１４に第３開口部３１を配置している。逆に、図７（Ｄ）および図７（Ｆ）に示すように、表示部の上側エッジ付近では第２電極１４よりも第１電極１３のほうが表示部のエッジ外側へ張り出していることから、エッジから内側へ一定距離には第２電極１４に第２開口部１９を配置せず、代わりに第１電極１３に第４開口部３２を配置している。
【００４２】
ここで、英文字「Ｓ」を表示するための電極構造の他の一例についても説明する。図８（Ａ）は第１電極と第２電極を重ねて示した平面図であり、図８（Ｂ）は第１電極を示した平面図であり、図８（Ｃ）は第２電極を示した平面図である。各図に示すように、第１電極１３および第２電極１４にはそれぞれ開口部が規則的かつ周期的に配置されており、かつ第１電極１３と第２電極１４の間で交互に配置される。各開口部の長手方向は図中の左右方向に一致している。図８（Ｄ）は図８（Ａ）に示したＣＸ部の拡大図であり、図８（Ｅ）は図８（Ｂ）に示したＣＳ部の拡大図であり、図８（Ｆ）は図８（Ｃ）に示したＣＣ部の拡大図である。図８（Ｄ）および図８（Ｅ）に示すように、本例では表示部の右側エッジ付近と左側エッジ付近の両方にエッジ近傍領域を設定し、エッジから内側へ一定距離（例えば５０μｍ幅）には第１電極１３へ第１開口部１８を配置せず、代わりに第２電極１４に第３開口部３１を配置している。逆に、図８（Ｄ）および図８（Ｆ）に示すように、表示部の上側エッジ付近では第２電極１４よりも第１電極１３のほうが表示部のエッジ外側へ張り出していることから、エッジから内側へ一定距離には第２電極１４に第２開口部１９を配置せず、代わりに第１電極１３に第４開口部３２を配置している。
【００４３】
ここで、比較例の電極構造の他の一例についても説明する。図９（Ａ）は第１電極と第２電極を重ねて示した平面図であり、図９（Ｂ）は第１電極を示した平面図であり、図９（Ｃ）は第２電極を示した平面図である。また、図９（Ｄ）は図９（Ａ）に示したＡＸ部の拡大図であり、図９（Ｅ）は図９（Ｂ）に示したＡＳ部の拡大図であり、図９（Ｆ）は図９（Ｃ）に示したＡＣ部の拡大図である。各図に示すように、第１電極１３および第２電極１４にはそれぞれ複数の第１開口部１８および複数の第２開口部１９が規則的かつ周期的に配置されているが、上記した実施形態のような第３開口部や第４開口部は設けられていない。図９（Ｄ）および図９（Ｅ）に示すように、各第１開口部１８は、表示部のエッジにおいて終端しており、表示部内のみ配置されている。同様に、図９（Ｄ）および図９（Ｆ）に示すように、各第２開口部１９は、表示部のエッジにおいて終端しており、表示部内のみ配置されている。各第１開口部１８は、それぞれの長手方向が図中の左右方向に揃っているため、この方向において隣り合う開口部同士がエッチング不良により結合した場合には、第１電極１３に断線箇所が生じ得る。
【００４４】
ここで、セグメント表示型の液晶表示装置における電極構造の他の一例として、英文字「Ｔ」を表示するための電極構造例について説明する。図１０（Ａ）は一例の第１電極と第２電極を重ねて示した平面図であり、図１０（Ｂ）は他の一例の第１電極と第２電極を重ねて示した平面図である。図１０（Ｃ）は図１０（Ａ）に示したＧＧ部の拡大図であり、図１０（Ｄ）は図１０（Ｂ）に示したＨＨ部の拡大図である。図１０（Ａ）および図１０（Ｃ）に示すように、表示部のエッジより外側に張り出した第２電極１４が存在する部分では、表示部のエッジより内側の一定距離にエッジ近傍領域が設定され、このエッジ近傍領域内においては第１電極１３に第１開口部１８が配置されず、対向する第２電極１４に複数の第３開口部３１が配置されている。この例では、第２電極１４に設けられた各第２開口部１９は、それらの長手方向において互いを分離する分断部分がなく、表示部の一方エッジから他方エッジまで繋がって形成されている。一方で、第１電極１３に設けられた各第１開口部１８は、それらの長手方向に分断部分が存在する。これに対して、図１０（Ｂ）および図１０（Ｄ）に示す例では、第１電極１３に設けられた各第１開口部１８もそれらの長手方向において互いを分離する分断部分がなく、表示部の一方エッジから他方エッジまで繋がって形成されている。いずれの電極構造においても第１電極１３に断線が生じることはない。
【００４５】
（変形実施例）
なお、本発明は上述した実施形態の内容に限定されるものではなく、本発明の要旨の範囲内において種々に変形して実施をすることが可能である。例えば、上記した各実施形態では液晶層内の液晶分子が電圧無印加時においてプレティルト角が９０°の垂直配向である場合について示したが、他の配向状態であってもよい。例えば、電圧無印加時の液晶層の層厚方向における略中央の液晶分子の配向方向が各開口部の長手方向に対して略直交し、かつプレティルト角が略０°である水平配向の液晶層を有する液晶表示装置にも本発明を適用可能である。
【００４６】
また、上記した各実施形態においては液晶層内の液晶分子が電圧印加時において各開口部を境界に２方向に液晶分子を配向させる場合を示したが、液晶層が垂直配向である場合に限れば２方向以上の配向方向に制御することも可能である。この場合についてシミュレーション解析した結果を示しながら説明する。
【００４７】
図１１（Ａ）は変形例の液晶表示装置における第１電極の構造を示し、図１１（Ｂ）は変形例の液晶表示装置における第２電極の構造を示す平面図である。図示のように、各電極上には２方向に屈曲し、左右方向に延在した開口部を配置されている。これにより液晶分子の配向方向を４方向に制御することができる。なお、それぞれの開口部の幅は略１０μｍ、第１電極および第２電極上の各開口部同士の長辺エッジ間距離は略５０μｍに設定した。また、第１電極には画素エッジより内側に略３０μｍの範囲にエッジ近傍領域を設定し、ここには開口部を設けない構造とし、この部分の対向面である第２電極に開口部を設けた。なお、シミュレーション解析の条件については上記と同様である。図１１（Ｃ）は配向組織の計算結果を示す図である。画素エッジ部分にのこぎり歯状の暗領域が生じるが、開口部のエッジにて暗領域（ディスクリネーション）が固定可能であり、外観上は均一に観察されることを示唆していると考える。なお、ここでは２方向に屈曲するＶ字状の開口部を用いたが、２方向以上に屈曲する形状の開口部（例えば、Ｙ字状の開口部）を用いても同様な効果が得られる。
【符号の説明】
【００４８】
１１：第１基板
１２：第２基板
１３：第１電極
１４：第２電極
１５：第１配向膜
１６：第２配向膜
１７：液晶層
１８：第１開口部
１９：第２開口部
２１：第１偏光板
２２：第２偏光板
２３、２４：光学補償板
３０：エッジ近傍領域
３１：第３開口部
３２：第４開口部
【図１】
2014074755.tif 000003
【図２】
2014074755.tif 000004
【図７】
2014074755.tif 000005
【図８】
2014074755.tif 000006
【図９】
2014074755.tif 000007
【図１０】
2014074755.tif 000008
【図３】
2014074755.tif 000009
【図４】
2014074755.tif 000010
【図５】
2014074755.tif 000011
【図６】
2014074755.tif 000012
【図１１】
2014074755.tif 000013